(57)【要約】      （修正有）【課題】構造強度がより強く、取り付けに適しているトーションバネおよびトーションバネを備えるランプを提供する。【解決手段】ランプは２つの支持部を有するトーションバネを備え、各支持部は応力の均衡を取り、構造強度を高めるための２つのアームを含む。支持部のアームは、ユーザによって直接且つ容易に引いて開くことができ、ランプの取り付けが容易になる。トーションバネはさらに延長アームを有し、延長アームは、アームに接続されており、バネ本体内に延伸している。【選択図】図１
0003151811.tif 000002
【実用新案登録請求の範囲】
【請求項１】
取り付け部を含む筐体を固定端部に固定するトーションバネであって、
バネ本体と、
第１の支持部と、
第２の支持部と
を備え、
前記バネ本体は、第１の端部および前記第１の端部に対向する第２の端部を有し、前記取り付け部に取り付けられ、
前記第１の支持部は、
前記バネ本体の前記第１の端部から延伸している第１のアームと、
前記バネ本体とは反対側の、前記第１のアームの端部から延伸している第１の屈曲部と、
前記第１のアームとは反対側の、前記第１の屈曲部の端部から、前記バネ本体の前記第２の端部まで延伸している第２のアームと
を有し、
前記第２の支持部は、
前記バネ本体の前記第２の端部から延伸している第３のアームと、
前記バネ本体とは反対側の、前記第３のアームの端部から延伸している第２の屈曲部と、
前記第３のアームとは反対側の、前記第２の屈曲部の端部から、前記バネ本体の前記第１の端部まで延伸している第４のアームと
を有し、
前記固定端部および前記筐体の前記取り付け部が前記第１の支持部と前記第２の支持部との間に配置されると、前記第１のアームおよび前記第２のアームが前記バネ本体の力によって前記取り付け部を固く締め付けると共に、前記第３のアームおよび前記第４のアームが前記バネ本体の力によって前記固定端部を固く締め付ける
トーションバネ。
【請求項２】
前記第１のアームおよび前記第２のアームは、互いに対して略平行であり、前記第１の屈曲部に対して略垂直である
請求項１に記載のトーションバネ。
【請求項３】
前記第３のアームおよび前記第４のアームは、互いに対して略平行であり、前記第２の屈曲部に対して略垂直である
請求項１に記載のトーションバネ。
【請求項４】
前記第１の支持部はさらに、前記第１の屈曲部とは反対側の、前記第２のアームの端部に接続されている延長アームを有し、前記延長アームは、前記バネ本体の前記第２の端部から前記バネ本体内へと延伸している
請求項１に記載のトーションバネ。
【請求項５】
前記延長アームは、前記第２のアームに対して略垂直である
請求項４に記載のトーションバネ。
【請求項６】
前記第２の支持部はさらに、前記第２の屈曲部とは反対側の、前記第４のアームの端部に接続されている延長アームを有し、前記延長アームは、前記バネ本体の前記第１の端部から前記バネ本体内へと延伸している
請求項１に記載のトーションバネ。
【請求項７】
前記延長アームは、前記第４のアームに対して略垂直である
請求項６に記載のトーションバネ。
【請求項８】
固定端部に固定されるランプであって、
取り付け部を有する筐体と、
前記筐体内に配設される本体と、
トーションバネと
を備え、
前記取り付け部は、ノッチと、前記ノッチの２つの互いに対向する内面から延伸している２つの突起とを含み、
前記トーションバネは、
バネ本体と、
第１の支持部と、
第２の支持部と
を有し、
前記バネ本体は、第１の端部および前記第１の端部に対向する第２の端部を有し、前記第１の端部および前記第２の端部がそれぞれ前記２つの突起と係合することによって前記取り付け部に取り付けられており、
前記第１の支持部は、
前記バネ本体の前記第１の端部から延伸している第１のアームと、
前記バネ本体とは反対側の、前記第１のアームの端部から延伸している第１の屈曲部と、
前記第１のアームとは反対側の、前記第１の屈曲部の端部から、前記バネ本体の前記第２の端部まで延伸している第２のアームと
を含み、
前記第２の支持部は、
前記バネ本体の前記第２の端部から延伸している第３のアームと、
前記バネ本体とは反対側の、前記第３のアームの端部から延伸している第２の屈曲部と、
前記第３のアームとは反対側の、前記第２の屈曲部の端部から、前記バネ本体の前記第１の端部まで延伸している第４のアームと
を含み、
前記固定端部および前記筐体の前記取り付け部が前記第１の支持部と前記第２の支持部との間に配置されると、前記第１のアームおよび前記第２のアームが前記バネ本体の力によって前記取り付け部を固く締め付けると共に、前記第３のアームおよび前記第４のアームが前記バネ本体の力によって前記固定端部を固く締め付ける
ランプ。
【請求項９】
前記第１のアームおよび前記第２のアームは、互いに対して略平行であり、前記第１の屈曲部に対して略垂直である
請求項８に記載のランプ。
【請求項１０】
前記第３のアームおよび前記第４のアームは、互いに対して略平行であり、前記第２の屈曲部に対して略垂直である
請求項８に記載のランプ。
【請求項１１】
前記第１の支持部はさらに、前記第１の屈曲部とは反対側の、前記第２のアームの端部に接続されている延長アームを含み、前記延長アームは、前記バネ本体の前記第２の端部から前記バネ本体内へと延伸している
請求項８に記載のランプ。
【請求項１２】
前記延長アームは、前記第２のアームに対して略垂直である
請求項１１に記載のランプ。
【請求項１３】
前記第２の支持部はさらに、前記第２の屈曲部とは反対側の、前記第４のアームの端部に接続されている延長アームを含み、前記延長アームは、前記バネ本体の前記第１の端部から前記バネ本体内へと延伸している
請求項９に記載のランプ。
【請求項１４】
前記延長アームは、前記第４のアームに対して略垂直である
請求項１３に記載のランプ。
【考案の詳細な説明】
【技術分野】
【０００１】
本考案は、バネ素子および当該バネ素子を備えるランプに関する。特に本考案は、トーションバネおよび当該トーションバネを備えるランプに関する。
【背景技術】
【０００２】
蛍光ランプおよび白熱ランプは、広く利用されている従来のランプである。発光ダイオード（ＬＥＤ）の発光効率が高まっており、蛍光ランプおよび白熱ランプに代わって、ＬＥＤが次第に照明に用いられるようになっている。ＬＥＤには、従来の電球に比べると、小型で、寿命が長く、低電圧／電流で駆動可能であり、破損しにくく、水銀を含まず（汚染の問題がない）、発光効率が良好である（省電力）等の大きな利点がある。
【０００３】
室内照明用ランプは通常、当該ランプが備えるトーションバネの力によって、建物内の固定端部（例えば、天井または壁）に固定される。従来のトーションバネは一般的に、バネ本体と、当該バネ本体の両側に接続されている２つのバネアームとを備える。ランプを建物内の固定端部に固定すると、２つのバネアームがランプの筐体と建物の固定端部とを締め付ける。バネアームは、バネ本体の端部に接続されている細長い構造で、応力が集中すると簡単に変形してしまう可能性がある。このような構造は不安定である。さらに、この種の構造を持つトーションバネの取り付けは、比較的困難で、固定冶具が必要となって時間がかかってしまう。
【考案の概要】
【課題を解決するための手段】
【０００４】
本考案は、構造強度がより高く、取り付けに適しているトーションバネを提供する。
【０００５】
本考案は、構造強度がより高く、取り付けに適しているトーションバネを備えるランプを提供する。
【０００６】
本発明は、筐体を固定端部に固定するトーションバネを提供する。筐体は、取り付け部を含む。トーションバネは、バネ本体と、第１の支持部と、第２の支持部とを備える。バネ本体は、第１の端部および第１の端部に対向する第２の端部を有し、取り付け部に取り付けられる。第１の支持部は、第１のアームと、第１の屈曲部と、第２のアームとを有する。第１のアームは、バネ本体の第１の端部から延伸している。第１の屈曲部は、バネ本体とは反対側の、第１のアームの端部から延伸している。第２のアームは、第１のアームとは反対側の、第１の屈曲部の端部から、バネ本体の第２の端部まで延伸している。第２の支持部は、第３のアームと、第２の屈曲部と、第４のアームとを有する。第３のアームは、バネ本体の第２の端部から延伸している。第２の屈曲部は、バネ本体とは反対側の、第３のアームの端部から延伸している。第４のアームは、第３のアームとは反対側の、第２の屈曲部の端部から、バネ本体の第１の端部まで延伸している。固定端部および筐体の取り付け部が第１の支持部と第２の支持部との間に配置されると、第１のアームおよび第２のアームがバネ本体の力によって取り付け部を固く締め付けると共に、第３のアームおよび第４のアームがバネ本体の力によって固定端部を固く締め付ける。
【０００７】
本発明は、固定端部に固定され、筐体と、本体と、トーションバネとを備えるランプを提供する。筐体は、取り付け部を有する。取り付け部は、ノッチと、ノッチの２つの互いに対向する内面から延伸している２つの突起とを含む。本体は、筐体内に配設される。トーションバネは、バネ本体と、第１の支持部と、第２の支持部とを有する。バネ本体は、第１の端部および第１の端部に対向する第２の端部を有し、第１の端部および第２の端部がそれぞれ２つの突起と係合することによって筐体に取り付けられている。第１の支持部は、第１のアームと、第１の屈曲部と、第２のアームとを含む。第１のアームは、バネ本体の第１の端部から延伸している。第１の屈曲部は、バネ本体とは反対側の、第１のアームの端部から延伸している。第２のアームは、第１のアームとは反対側の、第１の屈曲部の端部から、バネ本体の第２の端部まで延伸している。第２の支持部は、第３のアームと、第２の屈曲部と、第４のアームとを含む。第３のアームは、バネ本体の第２の端部から延伸している。第２の屈曲部は、バネ本体とは反対側の、第３のアームの端部から延伸している。第４のアームは、第３のアームとは反対側の、第２の屈曲部の端部から、バネ本体の第１の端部まで延伸している。固定端部および筐体の取り付け部が第１の支持部と第２の支持部との間に配置されると、第１のアームおよび第２のアームがバネ本体の力によって取り付け部を固く締め付けると共に、第３のアームおよび第４のアームがバネ本体の力によって固定端部を固く締め付ける。
【０００８】
本発明の一実施形態によると、上述した第１のアームおよび第２のアームは、互いに対して略平行であり、第１の屈曲部に対して略垂直である。
【０００９】
本発明の一実施形態によると、上述した第３のアームおよび第４のアームは、互いに対して略平行であり、第２の屈曲部に対して略垂直である。
【００１０】
本発明の一実施形態によると、第１の支持部はさらに、第１の屈曲部とは反対側の、第２のアームの端部に接続されている延長アームを有し、延長アームは、バネ本体の第２の端部からバネ本体内へと延伸している。
【００１１】
本発明の一実施形態によると、上述した延長アームは、第２のアームに対して略垂直である。
【００１２】
本発明の一実施形態によると、第２の支持部はさらに、第２の屈曲部とは反対側の、第４のアームの端部に接続されている延長アームを有し、延長アームは、バネ本体の第１の端部からバネ本体内へと延伸している。
【００１３】
本発明の一実施形態によると、上述した延長アームは、第４のアームに対して略垂直である。
【００１４】
上述の内容に基づき、本考案に係るランプのトーションバネは、応力の均衡を取って構造強度を高めるためのそれぞれ２つのアームを有する２つの支持部を備える。また、支持部はそれぞれ、ユーザが容易に且つ直接引いて開くことができる２つのアームを有する。このような構成とすることによって、ランプの取り付けが簡単になる。
【００１５】
上述した本考案の特徴および利点をさらに詳細に説明するべく、添付図面を参照しつつ、実施形態を以下に詳述する。
【図面の簡単な説明】
【００１６】
添付図面は、本考案をより詳細に説明することを目的として提供され、本明細書に組み込まれてその一部を成す。添付図面は、本考案の実施形態を図示しており、その説明と共に本考案の原理を説明するべく用いられる。
【００１７】
【図１】本考案の一実施形態に係るランプを示す斜視図である。
【００１８】
【図２】図１に示すランプの一部分の構造を示す斜視図である。
【００１９】
【図３】図１に示すトーションバネを示す斜視図である。
【００２０】
【図４】固定端部に固定されている図１のランプを示す一部側面図である。
【考案を実施するための形態】
【００２１】
図１は、本考案の一実施形態に係るランプを示す斜視図である。図２は、図１に示すランプの一部分の構造を示す斜視図である。図３は、図１に示すトーションバネを示す斜視図である。図１から図３を参照しつつ説明すると、本実施形態では、ランプ１００は、筐体１１０と、本体１２０と、少なくとも１つの（図では２つ）トーションバネ１３０とを備える。筐体１１０は、取り付け部１１２を有する。取り付け部１１２は、ノッチ１１２ａと、ノッチ１１２ａの２つの互いに対向する内面から延伸している２つの突起１１２ｂとを含む。本体１２０は、筐体１１０の内部に配設される。
【００２２】
トーションバネ１３０は、バネ本体１３２と、第１の支持部１３４と、第２の支持部１３６とを有する。バネ本体１３２は、第１の端部１３２ａとそれに対応する第２の端部１３２ｂとを含み、２つの突起１１２ｂに第１の端部１３２ａおよび第２の端部１３２ｂを係合させることによって、筐体１１０の取り付け部１１２に取り付けられている。第１の支持部１３４は、第１のアーム１３４ａと、第１の屈曲部１３４ｂと、第２のアーム１３４ｃとを含む。第１のアーム１３４ａは、バネ本体１３２の第１の端部１３２ａから延伸している。第１の屈曲部１３４ｂは、バネ本体１３２とは反対側の、第１のアーム１３４ａの端部から延伸している。第２のアーム１３４ｃは、第１のアーム１３４ａとは反対側の、第１の屈曲部１３４ｂの端部から、バネ本体１３２の第２の端部１３２ｂまで延伸している。
【００２３】
第２の支持部１３６は、第１の支持部１３４と同様の構造を持つ。第２の支持部１３６は、第３のアーム１３６ａと、第２の屈曲部１３６ｂと、第４のアーム１３６ｃとを含む。第３のアーム１３６ａは、バネ本体１３２の第２の端部１３２ｂから延伸している。第２の屈曲部１３６ｂは、バネ本体１３２とは反対側の、第３のアーム１３６ａの端部から延伸している。第４のアーム１３６ｃは、第３のアーム１３６ａとは反対側の、第２の屈曲部１３６ｂの端部から、バネ本体１３２の第１の端部１３２ａまで延伸している。
【００２４】
図４は、固定端部に固定されている図１のランプを示す一部側面図である。図４を参照しつつ説明すると、本実施形態では、ランプ１００（図１に示す）は、固定端部５０に固定されるように構成されている。固定端部５０は、例えば、建物の天井または壁の一部である。固定端部５０および筐体１１０の取り付け部１１２が、第１の支持部１３４と第２の支持部１３６との間に配置されると、第１のアーム１３４ａと第２のアーム１３４ｃとが、バネ本体１３２の力によって、取り付け部１１２を固く締め付けて、第３のアーム１３６ａと第４のアーム１３６ｃとが同様に、バネ本体１３２の力によって、固定端部５０を固く締め付ける。
【００２５】
つまりユーザは、ランプ１００（図１に示す）を固定端部５０に固定する場合には、バネ本体１３２の力に反して、第１の支持部１３４および第２の支持部１３６を引っ張って、互いから角度Ａだけ分離させる。すると、図４に図示するように、第１の支持部１３４および第２の支持部１３６はそれぞれ、取り付け部１１２および固定端部５０に当たり、バネ本体１３２の力によって取り付け部１１２および固定端部５０を固く締め付けて、ランプ１００を固定端部５０に固定する。図１および図４を参照しつつ説明すると、本実施形態で説明したランプ１００はトーションバネ１３０を２つ備え、２つのトーションバネ１３０はランプの２つの互いに対向する側に設けられていることに注意されたい。２つのトーションバネ１３０は同時に固定端部５０および筐体１１０を締め付けて、ランプ１００を固定端部５０に安定して固定する。
【００２６】
さらに図２および図３を参照しつつ説明すると、本実施形態では、トーションバネ１３０の第１の支持部１３４および第２の支持部１３６はどちらも、アームを２つ含み（第１の支持部１３４は第１のアーム１３４ａおよび第２のアーム１３４ｃを含み、第２の支持部１３６は第３のアーム１３６ａおよび第４のアーム１３６ｃを含む）、これらのアームはユーザが手を用いて簡単に引いて開くことができる。このため、ユーザはトーションバネ１３０を筐体１１０の取り付け部１１２に取り付ける際に固定治具を一切必要としない。
【００２７】
本実施形態に係るトーションバネの構造を、以下でさらに説明する。図３を参照しつつ説明すると、本実施形態では、第１のアーム１３４ａおよび第２のアーム１３４ｃが、互いに略平行で、第１の屈曲部１３４ｂに対して略垂直である。第３のアーム１３６ａおよび第４のアーム１３６ｃが、互いに略平行で、第２の屈曲部１３６ｂに対して略垂直である。また、第２の支持部１３６はさらに、第２の屈曲部１３６ｂとは反対側の、第４のアーム１３６ｃの端部に接続されている延長アーム１３６ｄを含む。延長アーム１３６ｄは第１の端部１３２ａからバネ本体１３２内へと延伸している。第１の支持部１３４はさらに、第１の屈曲部１３４ｂとは反対側の、第２のアーム１３４ｃの端部に接続されている延長アーム１３４ｄを含む。延長アーム１３４ｄは第２の端部１３２ｂからバネ本体１３２内へと延伸している。
【００２８】
上述した延長アーム１３４ｄおよび１３６ｄはそれぞれ、第２のアーム１３４ｃおよび第４のアーム１３６ｃに対して略垂直で、バネ本体１３２内に延伸している。延長アーム１３４ｄおよび１３６ｄならびにバネ本体１３２の構造により、バネ本体１３２の端部近傍での第２のアーム１３４ｃおよび第４のアーム１３６ｃの動作可能範囲が制限されるので、不適切に加えられる外力によってトーションバネ１３０が屈曲および損傷しにくくなる。
【００２９】
要約すると、本発明の実施形態に係るランプは、２つの支持部を有するトーションバネを備え、各支持部は、応力の均衡を取り、構造強度を高めるための２つのアームを含む。支持部のアームは、ユーザによって直接且つ容易に引いて開くことができる。このため、ランプの取り付けが容易になる。トーションバネはさらに延長アームを有し、延長アームは、アームに接続されており、バネ本体内に延伸している。延長アームおよびバネ本体の構造によって、トーションバネは、不適切に外力が加えられても屈曲せず損傷も受けない。
【００３０】
上述の実施形態に基づいて本考案を開示したが、上述の実施形態は本考案を限定するものではない。当業者であれば、本考案の精神および範囲を逸脱することなく、本考案を変形および変更するであろう。このため、本考案が求める保護の範囲は、添付する請求項によって定まるものである。
【図１】
0003151811.tif 000003
【図２】
0003151811.tif 000004
【図３】
0003151811.tif 000005
【図４】
0003151811.tif 000006